(57)【特許請求の範囲】
【請求項１】
脚支柱の上端に設けた座受けと、前記座受けで支持された座体と、着座した人がもたれ掛かり得る背部とを備えており、前記座受けには弾性手段に抗して後傾動する揺動フレームが取り付けられており、この揺動フレームに前記背部を取り付けており、更に、前記座体と背部とは別体に構成されている椅子であって、
前記背部は、着座した人の腰を包むように平面視前向き凹状に形成された腰部アウター部材と、着座した人の背が当たる背受けとを備えており、腰部アウター部材を前記揺動フレームに取り付け、背受けを腰部アウター部材に取付けており、更に、前記背受けは腰部アウター部材の上方に突出している一方、前記腰部アウター部材は、前記背受けの手前に位置した左右の側枠部を備えることで平面視前向き凹状に形成されている、
椅子。
【請求項２】
前記背受けは、正面視で腰部アウター部材と部分的に重なるインナーシェルと、インナーシェルの前面に張ったクッションと、腰部アウター部材の上方に配置したアウターシェルとから成っており、
前記背受けにおけるインナーシェルの後面と腰部アウター部材の前面とに、嵌め合わせ及び噛み合いによってインナーシェルをずれ不能及び離脱不能に保持する係合手段が設けられている、
請求項１に記載した椅子。
【請求項３】
前記背受けのインナーシェルに、着座した人がもたれ掛かったときに撓み変形しやすくするための弱化部を形成している、
請求項１又は請求項２に記載した椅子。
【請求項４】
前記係合手段は、上下方向からの嵌まり合いによって背受けを前向き離脱不能で左右動不能に保持する第１係合手段と、当該第１係合手段が係合した状態を保持する第２係合手段とから成っている、
請求項２又は請求項３に記載した椅子。
【発明の詳細な説明】
【０００１】
【発明の属する技術分野】
本発明は、椅子に関するものである。
【０００２】
【従来の技術】
椅子は、座体と背もたれとを備えており、ロッキング椅子の場合は、脚の上端に設けた座受け部材に、揺動フレームを後傾動自在に取付け、この揺動フレームの後傾動をばねで支持すると共に、揺動フレームに背もたれをねじ止めした構造になっていることが多い。
【０００３】
また、座体と背もたれとのシェル（芯板）を合成樹脂で一体成形し、これにクッションを張った椅子も広く知られている。
【０００４】
【発明が解決しようとする課題】
しかし、従来の構造では、背もたれの高さ寸法や正面形状などは一定に決まっており、デザインを豊富化するのが厄介であった。従って、ユーザーが好みに応じて背もたれの形状を変えることなども全くできなかった。
【０００５】
特に、座と背もたれとのシェルを一体化した椅子の場合は、大型の金型を複数種類用意してインナーシェルを製造しなければならないため、デザインの豊富化は難しかった。
【０００６】
本発明は、このような現状を改善することを目的とするものである。
【０００７】
【課題を解決するための手段】
本発明は、脚支柱の上端に設けた座受けと、前記座受けで支持された座体と、着座した人がもたれ掛かり得る背部とを備えており、前記座受けには弾性手段に抗して後傾動する揺動フレームが取り付けられており、この揺動フレームに前記背部を取り付けており、更に、前記座体と背部とは別体に構成されている椅子において、前記背部は、着座した人の腰を包むように平面視前向き凹状に形成された腰部アウター部材と、着座した人の背が当たる背受けとを備えており、腰部アウター部材を前記揺動フレームに取り付け、背受けを腰部アウター部材に取付けており、更に、前記背受けは腰部アウター部材の上方に突出している一方、前記腰部アウター部材は、前記背受けの手前に位置した左右の側枠部を備えることで平面視前向き凹状に形成されている。
【０００８】
【発明の作用・効果】
本発明では、腰部アウター部材で人の腰を包むような状態になっているため、使用者に安心感を与えて座り心地を向上できる。また、腰部アウター部材は前向き凹状のシェル形状であるため、合成樹脂で薄肉化しても強度を確保することができ、その結果、美観にも優れたものとすることができる。
【０００９】
そして、腰部アウター部材と背受けとで背もたれを構成した状態になっており、高さや正面形状などが異なる背受けを複数種類用意しておき、これを腰部アウター部材に取り付けることにより、椅子のデザインを簡単に変更することができる。
【００１０】
このため、コスト及び組み立ての手間を抑制した状態で、背部のデザインが異なる複数種類の椅子を製造することができる。また、背受けを腰部アウター部材に対して着脱式とすることにより、ユーザーが好みに応じて背受けを取り替えることも可能になる。
【００１１】
請求項２のように構成すると、背受けのアウターシェルと腰部アウター部材とに一体性を持たせることができるため、腰部アウター部材と背受けとが別体であるにもかかわらず、美観を向上できる。
【００１２】
請求項３の構成では、スリットの存在により、背受けのインナーシェルを大きく撓み変形させることができるため、ロッキング機能を向上できる。
【００１３】
更に、請求項４のように構成すると、第１係合手段によって背受けは腰部アウター部材から前向き離脱不能に保持されているため取付け強度を向上させることができる。また、第２係合手段を係脱式とすることにより、背受けを、第２係合手段の係合を解除してから上下方向にずらすことによって簡単に取り外すことができる。従って、背受けの取り替えも簡単に行える。
【００１４】
【発明の実施形態】
次に、本発明の実施形態を図面に基づいて説明する。
【００１５】
(1).第１実施形態（図図８）
図１〜図８では第１実施形態を示しており、図１は椅子の右側面図、図２は正面図、図３は縦断右側面図、図４及び図５は機構部材の分離斜視図であり、まず、これらの図に基づいて説明する。
【００１６】
≪基本構造≫
椅子は、ガスシリンダー等の脚支柱１を備えた脚２と、脚支柱２の上端に固定した上向き開口の座受け３と、座受け３に上方から被さる中間支持体４と、中間支持体４の後方に配置した揺動フレーム５と、中間支持体４と揺動フレーム５とで支持した座体６と、揺動フレーム５に取り付けた背部７とを備えている。脚支柱１は脚カバー８で覆われており、座受け３はベースカバー９で下方から覆われている。
【００１７】
座受け３の底面には第１ブラケット１０が固着されており、この第１ブラケット１０と座受け３とに固定したブッシュ１１に脚支柱１の上端を嵌着している。また、座受け３における左右両側板３ａの前部には前後長手の長穴１２が空いており、この長穴１２と中間支持体４の側板４ａとに第１軸１３が挿入されている。
【００１８】
座受け３の下面には正面視下向き開口コ字状の第２ブラケット１４を溶接等によって固着している一方、揺動フレーム５は、第２ブラケット１４の外側に位置する側板５ａを備えており、揺動フレーム５の前端部を、第２軸１５によって第２ブラケット１４に後傾動自在に取付けている。また、揺動フレーム５と中間支持体４とは第３軸１６によって連結されている。
【００１９】
図４に示すように、座受け３の後部には、揺動フレーム５を貫通した下向きのロッド１７が抜け不能に取付けられており、このロッド１７の先端部に設けたばね受け１８で、弾性手段の一例としてのコイルばね（図示せず）を支持しており、コイルばねで揺動フレーム５を受けている。コイルばねはホルダー１９に嵌まっている。
【００２０】
≪背部の構造≫
揺動フレーム５の後部には、左右方向に広がる受け板２０を固着しており、このブラケット２０で座体６の後部が支持されている。受け板２０は、その左右両端部の高さが高い翼状になっており、その傾斜部の外面に、肘掛け装置の支柱（図示せず）をねじで固定するようになっている。
【００２１】
座体６は中間支持体４にも取付けられており、図では詳細は示していないが、座体６は、中間支持体４の後端部と揺動フレーム５の前端部との間の箇所において側面視で屈曲するように構成されている。そして、揺動フレーム５及び背部７がコイルばねに抗して後傾すると、座体６は、その後部寄りの箇所で屈曲しながら、後退しつつ後傾動する。
【００２２】
図１や図２に示すように、背部７は、揺動フレーム５に取付けられた腰部アウター部材２１と、この腰部アウター部材２１に取付けた背受け２２とから成ってる。腰部アウター部材２１は、ポリプロピレンのようにリサイクルが容易でしかも安価な樹脂を素材として射出成形によって製造されている。
【００２３】
例えば図５に示すように、腰部アウター部材２１は、左右の側枠部（側板部）２１ａを一体に連設することにより、平面視で前向き凹状のシェル状に形成されており、側枠部２１ａに人の手の甲が入る程度の穴２３が空いている。側枠部２１ａの前面は側面視で後傾するように形成されている。
【００２４】
腰部アウター部材２１の下端には、揺動フレーム５を囲う嵌合部２１ｂが一体に連設されている。嵌合部２１ｂには、脚カバー８が嵌まる前向き開口の凹所２４と、コイルばねのホルダー１９が嵌まる逃がし穴２５とが形成されている。
【００２５】
腰部アウター部材２１には、揺動フレーム５における受け板２０の先端部２０ａに上方から重なる左右一対の板状の第１締結部２６と、受け板２０の底部のうち中央部からやや外れた部位に重なる左右一対の板状の第２締結部２７と、揺動フレーム５における左右側板５ａの間に後方から左右ずれ不能に嵌まる内規制部２８と、左右側板５ａの外側面に密接する外規制部２９とが一体に形成されている。なお、内規制部２８は左右に分離した状態で形成しても良い。
【００２６】
腰部アウター部材２１の両締結部２６，２７はねじ３０で揺動フレーム５の受け板２０に固定されている。なお、規制手段として、内規制部２８と外規制部２９とはいずれか一方のみで足りる。
【００２７】
≪背受けの取付け構造≫
次に、腰部アウター部材２１への背受け２２の取付け構造を、図６〜図８も参照して説明する。図６は要部の分離斜視図、図７は背受け２２におけるインナーシェル３５の背面図、図８は取付けた状態の縦断側面図である。
【００２８】
図５及び図６に示すように、腰部アウター部材２１の前面には、請求項に記載した第１係合手段を構成する側面視上向き鉤状で左右一対の第１係止爪３１と、第２係合手段を構成する側面視鉤状で左右一対の第２係止爪３２とが、上下に隔てた状態で形成されている。第２係止爪３２は割り爪になっている。腰部アウター部材２１には、更に縦横に延びるリブ３３が形成されており、係止爪３１，３２はリブ３３の外側に配置されている。
【００２９】
他方、図３及び図８に示すように、背部７の背受け２２は、アウターシェル（カバー）３４と、その内側に位置したインナーシェル（芯板）３５と、その前面に張ったクッション３６とから成っている。
【００３０】
インナーシェル３５はアウターシェル３４の下方まで延びている。また、アウターシェル３４の下端には、腰部アウター部材２１の上端に嵌合する段部３４ａを形成している。
【００３１】
そして、インナーシェル３５に、腰部アウター部材２１の第１係止爪３１に上方から嵌まり込む平面視門型の第１係合爪３７と、腰部アウター部材２１の第２係止爪３２に弾性に抗しての変形によって係合する係合穴３８とが左右一対ずつ形成されている。係合穴３８は、後ろ向きに突出した升状の凸部３８ａに形成されている。これは、第２係止爪３２が人の背に違和感を与えるのを防止するためである。
【００３２】
第１係合爪３７は請求項に記載した第１係合手段を構成しており、係合穴３８は第２係合手段を構成している。
【００３３】
インナーシェル３５のうち第２係合爪３７と係合穴３８との間の部位には、請求項に記載した弱化手段の一例としてスリット３９を形成している。スリット３９は断続的に延びるように形成しても良い。また、スリットに変えて薄肉化するなどしても良い。
【００３４】
図１に示すように、腰部アウター部材２１の背面には、背受け２２におけるアウターシェル３４の左右側面に連続する溝状等のライン４０を形成している。
【００３５】
以上の構成において、第１係合爪３７を第１係止爪３１に上方から嵌め込んでから、係合穴３８を第１係合爪３２に強制的に嵌め込むことにより、背受け２２は腰部アウター部材２１に対してワンタッチ的に取付けられる。この取付け状態では、各爪３１，３２，３７と穴３８の嵌め合わせにより、背受け２２は上下左右にずれ不能に保持される。インナーシェル３５と腰部アウター部材２１との間隔はリブ３３によって保持されている。
【００３６】
また、ロッキング時には、背受け２２には、そのアウターシェル３４の下端を支点として後傾させるような外力が作用するが、第１係合爪３７が第１係止爪２１と嵌まり合っているため、その外力に抗して取付け状態を保持できる。
【００３７】
ある程度の力をかけてインナーシェル３５の下部を手前に引くと、第２係止爪３２と凸部３８ａとの係合を解除して、背受け２２を取り外すことができる。
【００３８】
第１係止爪３１を門型に形成して第１係合爪３７を鉤状に形成しても良いし、インナーシェル３５に第２係止爪３２を形成して、係合穴３８との配置関係は逆にしても良い。また、爪等の係合手段の個数や配置は自由に設定できる。なお、第１係合手段と第２係合手段を上下逆に配置して、背受け２２を上向きにずらすことによって第１係止爪３１と第１係合爪３７とを嵌め合わせることも可能である。
【００３９】
(2).第２実施形態（図９）
図９では係合手段の別例である第２実施形態を示しており、（Ａ）はインナーシェル３５の背面図、（Ｂ）は腰部アウター部材２１の正面図、（Ｃ）は係合状態を示す縦断側面図である（図ではリブは省略している）。
【００４０】
この実施形態では、腰部アウター部材２１とインナーシェル３５とに、鉤状の第１係止爪３１と門型の第１係合爪３７とをそれぞれ上下左右に４個ずつ形成している。また、腰部アウター部材２１のうち左右の第１係止爪３１の間の部位に、左右一対の係合突起４２を形成している。
【００４１】
一方、インナーシェル３５には、下向き動によって係合突起３２に弾性に抗して係合する側面視Ｌ字型で下向きに延びる第２係合爪４３を形成し、この第２係合爪４３に、人の指Ｆをかけることのできる押さえ片４３ａを連接している。インナーシェル３５と腰部アウター部材２１との間には、人の指Ｆを挿入できる程度の間隔が空いている。
【００４２】
この実施形態では、係合突起４２と第２係合爪４３とが請求項に記載した第２係合手段を構成している。
【００４３】
この実施形態では、４個の第１係止爪３１及び第１係合爪３２が上下左右に配置されているため、背もたれ荷重に対する強度がきわめて高く、ロッキング時に背受け２２が外れることは全くない一方、人が指で第２係合爪４３の押さえ部４３ａを押さえて係合突起４２との係合を解除することにより、背受け２２を簡単に取り外すことができる。
【００４４】
なお、第１係止爪３１及び第１係合爪３７は上下に離反して配置されておれば良く、必ずしも４対は必要ない（３対以上が好ましい）。また、係合突起４２に代えて、第１実施形態で表示したリブ３３を使用することも可能である。
【００４５】
ところで、インナーシェル３５を射出成形法で製造する場合、型抜きのためには、インナーシェル３５には、第２係合爪４３を形成するためいわゆる抜き違いの穴４４が形成される。そして、インナーシェル３５にクッション３６を張るに際して、インナーシェル３５を金型にセットして発泡樹脂をキャビティに注入するインサート成形法による場合、抜き違い穴４４にクッション３６が入り込み、これが第２係合爪４３に至ることになる。
【００４６】
しかし、クッション３６は柔らかいので、第２係合爪４３の弾性変形には支障はなく、したがって、係合突起４２への第２係合爪４３の係合や、押さえ片４３ａを押さえての係合解除に対する障害になることはない。
【００４７】
(3).第３実施形態（図10）
図１０に示す第３実施形態も係合手段の別例であり、（Ａ）はインナーシェル３５の背面図、（Ｂ）は腰部アウター部材２１の正面図、（Ｃ）は係合状態を示す縦断側面図である（この図でもリブは省略している）。
【００４８】
この実施形態では、第１実施形態と同様に、腰部アウター部材２１とインナーシェル３５とに、鉤状の第１係止爪３１と門型の第２係合爪３７とをそれぞれ一対ずつ形成している。第１係止爪３１は腰部アウター部材２１の上部に位置している。
【００４９】
また、腰部アウター部材２１の下部に、下向き鉤状の第２係止爪３２を左右一対形成している。他方、インナーシェル３５には、第２係止爪３２を上方及び側方から囲う枠体４４と、腰部アウター部材２１に対する前方からの移動によって第２係止爪３２に弾性係合する第２係合爪４３を形成している。この第２係合爪４３にも押さえ片４３ａを設けている。
【００５０】
この第３実施形態では、第１実施形態と同様に、第１係合爪３７を第１係止爪３１に嵌め込んでから、それらの爪３１，３７を支点としてインナーシェル３５を腰部アウター部材３５に押し付けることにより、背受け２２は腰部アウター部材２１に取付けられる。また、第２実施形態と同様に、押さえ片４３ａを操作して第２係合爪４３の係合を解除することにより、背受け２２を取り外すことができる。
【００５１】
(4).第４実施形態（図11）
図１１に示す第４実施形態も係合手段の別例を示すもので、（Ａ）はインナーシェル３５の背面図、（Ｂ）は腰部アウター部材２１の正面図、（Ｃ）は係合状態を示す正断面図、（Ｄ）は（Ｃ）のＤ−Ｄ視図である。
【００５２】
この実施形態では、第２係合手段として、腰部アウター部材２１に平面視門型の第２係合爪３２を形成する一方、インナーシェル３５には、第２係合爪３２の内部に上方から入り込んでその内側面に係合する正面視型の第２係合爪４３を形成している。この例でも、第２係合爪４３には押さえ片４３ａを形成しており、一対の押さえ片４３ａを互いに接近するように摘むことにより、第２係合手段の係合を解除することができる。
【００５３】
第２〜第４第２実施形態のように、押さえ片のような係合解除手段を設けると、背受けの交換やメンテナンスなどを至極容易に行うことができる。
【００５４】
(5).第５実施形態（図12）
図１２では第５実施形態を示しており、（Ａ）はインナーシェル３５の背面図、（Ｂ）は腰部アウター部材２１の正面図、（Ｃ）は組み立て状態での (B)の C-C視断面図、 (D)は組み立てた状態での (B)の D-D視断面図である。
【００５５】
この例では、腰部アウター部材２１に、上向き鉤状の第１係止爪３１を多数形成する一方、インナーシェル３５の背面に、第１係止爪３１に嵌合する下向き鉤状の第１係合爪３７を形成している。また、腰部アウター部材２１の左右中央部に板状のストッパー３２を設ける一方、インナーシェル３５に、当該インナーシェル３５を切り抜いた状態で傾斜状の第２係合爪４３を形成し、これをストッパー３２に下方から当てている。
【００５６】
この実施形態では、腰部アウター部材２１とインナーシェル３５との間隔が狭くとも、第２係止爪４３を容易に倒すことができる。なお、第１係止爪３２と第１係合爪３７とは、簡単に抜けないように係合している。
【００５７】
単なる爪の係合だけでは部材の取り外しが面倒であり、さりとて、軽い力で係合を解除できると部材の取付け強度が損なわれる。この点、第２〜第５実施形態のように、係止爪に指をかけて倒し得る指掛け部を形成すると、係合強度を損なうことなく取り外しを簡単に行える利点がある。
【００５８】
(6).その他
【００５９】
係合手段の具体的な構造は様々に具体化できる。更に、腰部アウター部材の側枠部に、腰を保護するパッドを取付けても良く、このようにすると、座り心地を一層向上できる。
【００６０】
なお、請求項１，２では、必ずしもスリットは必要ない。
【図面の簡単な説明】
【図１】第１実施形態の右側面図である。
【図２】椅子の正面図である。
【図３】縦断右側面図である。
【図４】座受けと中間部材と揺動フレームの分離斜視図である。
【図５】揺動フレームと背受け材との分離斜視図である。
【図６】腰部アウター部材と背受けとの分離斜視図である。
【図７】背受けにおけるインナーシェルの背面図である。
【図８】背部の縦断側面図である。
【図９】第２実施形態を示す図である。
【図10】第３実施形態を示す図である。
【図11】第４実施形態を示す図である。
【図12】第５実施形態を示す図である。
【符号の説明】
５  揺動フレーム
６  座体
７  背部
２０  受け板
２１  腰部アウター部材
２２  背受け
３１  第１係止爪
３２  第２係止爪
３４  背受けを構成するアウターシェル
３５  背受けを構成するインナーシェル
３７  第１係合爪
３８  係合穴
【図１】
0003811598.tif 000002
【図２】
0003811598.tif 000003
【図３】
0003811598.tif 000004
【図４】
0003811598.tif 000005
【図５】
0003811598.tif 000006
【図６】
0003811598.tif 000007
【図７】
0003811598.tif 000008
【図８】
0003811598.tif 000009
【図９】
0003811598.tif 000010
【図１０】
0003811598.tif 000011
【図１１】
0003811598.tif 000012
【図１２】
0003811598.tif 000013